(57)【要約】【課題】バッグ本体の内側への着脱を容易に行うことができ、かつ頻繁な着脱操作に対する耐久性にも優れた、使い勝手の良いインナーポケットを備えたバッグを提供すること。【解決手段】バッグ本体１０と、バッグ本体１０の内側に着脱自在な１以上のインナーポケット３０とを備えたバッグ１であって、インナーポケット３０とバッグ本体１とが、一対のファスナー片２１、２２を備えたスライドファスナー２０で着脱自在に構成され、インナーポケット３０が、ベース基材３１と、ベース基材３１に取り付けられた、スライドファスナー２０の一方のファスナー片２１と、一方のファスナー片２１の一端部近傍に取付けられた摘み部３２と、ベース基材３１に設けられた１以上のポケット部３３とを備え、バッグ本体１の内側に、スライドファスナー２０の他方のファスナー片２２を少なくとも１箇所以上取り付ける。【選択図】図１
0003208799.tif 000002
【実用新案登録請求の範囲】
【請求項１】
バッグ本体と、該バッグ本体の内側に着脱自在な１以上のインナーポケットとを備えたバッグであって、
前記インナーポケットと前記バッグ本体とが、一対のファスナー片を備えたスライドファスナーで着脱自在に構成され、
前記インナーポケットが、
ベース基材と、
該ベース基材に取り付けられた、前記スライドファスナーの一方のファスナー片と、
該一方のファスナー片の一端部近傍に取付けられた摘み部と、
前記ベース基材に設けられた１以上のポケット部とを備え、
前記バッグ本体の内側に、前記スライドファスナーの他方のファスナー片が少なくとも１箇所以上取り付けられていることを特徴とするバッグ。
【請求項２】
前記ポケット部に収納する対象の携行品が複数種類のサイズを有し、これら複数種類のサイズを有する携行品の中から自己所有の携行品にピッタリの大きさの前記ポケット部を有する前記インナーポケットが選択できるように品揃えされていることを特徴とする請求項１記載のバッグ。
【請求項３】
前記ポケット部が、対象とする収納物のサイズに合わせた大きさに形成されていることを特徴とする請求項１記載のバッグ。
【請求項４】
前記ベース基材、及び／又は前記ポケット部にクッション部材が設けられていることを特徴とする請求項１〜３のいずれかの項に記載のバッグ。
【請求項５】
前記摘み部が、前記一方のファスナー片の一端部近傍に止め具で固定された、弾力性を有する折り返し片部材で構成されていることを特徴とする請求項１〜４のいずれかの項に記載のバッグ。
【請求項６】
前記インナーポケットが、
前記一方のファスナー片の他端部近傍に取付けられた留め部を備え、
該留め部が、前記バッグ本体の内側に取付けられた受部材に着脱自在なものであることを特徴とする請求項１〜５のいずれかの項に記載のバッグ。
【請求項７】
前記スライドファスナーが、ロック式のスライダーを含んで構成されていることを特徴とする請求項１〜６のいずれかの項に記載のバッグ。
【請求項８】
前記バッグ本体と、前記インナーポケットとが、同じ生地素材で作製されていることを特徴とする請求項１〜７のいずれかの項に記載のバッグ。
【請求項９】
バッグ本体の内側に、一対のファスナー片を備えたスライドファスナーにより着脱自在に構成されたインナーポケットであって、
ベース基材と、
該ベース基材に取り付けられた、前記スライドファスナーの一方のファスナー片と、
該一方のファスナー片の一端部近傍に取付けられた摘み部と、
前記ベース基材に設けられた１以上のポケット部とを備えていることを特徴とするインナーポケット。
【請求項１０】
前記摘み部が、前記一方のファスナー片の一端部近傍に止め具で固定された、弾力性を有する折り返し片部材で構成されていることを特徴とする請求項９記載のインナーポケット。
【請求項１１】
前記一方のファスナー片の他端部近傍に取付けられた留め部を備え、
該留め部が、前記バッグ本体の内側に取付けられた受部材に着脱自在なものであることを特徴とする請求項９又は請求項１０記載のインナーポケット。
【考案の詳細な説明】
【技術分野】
【０００１】
本考案はバッグ、及びインナーポケットに関し、より詳細には、バッグ本体の内側に着脱自在なインナーポケットを備えたバッグ、及び該バック用のインナーポケットに関する。
【背景技術】
【０００２】
携行品などを収納するバッグには、ハンドバッグ、ショルダーバッグ、トートバッグ、リュック型バッグ、ボストンバッグ、及びクラッチバッグなどの種々の形態のものが知られており、使用目的、用途、或は使用者の好みに応じて適宜使い分けられている。
このようなバッグにおいては、携行品の収納性などを向上させるための工夫が従来から提案されている。例えば、バッグ本体の内側に仕切りや内ポケットを設ける、又はバッグ本体の内側に、バッグ本体とは別体の収納体や小物入れを面ファスナーやホックを用いて取り付けるといった提案がなされている。
【０００３】
例えば、下記の特許文献１には、鞄（バッグ）本体の内側に、複数の収納体を面ファスナー（係止部材）でそれぞれ着脱可能に構成された鞄が提案されている。また、下記の特許文献２には、メインバッグの内側に、サブバッグ群を面ファスナーでそれぞれ着脱可能に構成されたシステムバッグが提案されている。さらに、下記の特許文献３には、バッグ本体の内側に、複数の物品収容部を有するユニット収容体を止着具（ホック又は面ファスナー）で着脱可能に構成されたバッグが提案されている。
【０００４】
［考案が解決しようとする課題］
上記特許文献１−３に開示されているように、前記収納体（サブバッグ群、ユニット収容体）等の着脱に面ファスナーを用いた場合、該面ファスナーの接合面を大きくすると取外しにくくなる一方、前記接合面を小さくすると鞄本体から不意に外れる虞があり、着脱操作のしやすさと接合力（取付強度）との調整が難しく、また、前記収納体等の着脱を頻繁に行った場合、前記面ファスナーが劣化して、前記接合力（取付強度）が低下しやすいという課題があった。
【０００５】
また、特許文献３に開示されているように、前記ユニット収容体の取付けにホックを用いた場合、特にバッグ本体の上部開口部が小さい場合には、バッグ底部側のホックと前記ユニット収容体とが取り付けにくく、また取り外しもしにくいという課題があった。
また、前記バッグ本体に取り付ける一方のホック片と、前記ユニット収容体に取り付ける他方のホック片との位置合わせを正確に行わなければならず、これらホック片の取付け作業が煩雑になりやすいという課題もあった。
【先行技術文献】
【特許文献】
【０００６】
【特許文献１】特開平８−１９６３２１号公報
【特許文献２】特開２０００−１４４２８号公報
【特許文献３】実用新案登録第３０５４３７２号公報
【考案の概要】
【課題を解決するための手段及びその効果】
【０００７】
本考案は上記課題に鑑みなされたものであって、バッグ本体の内側への着脱を容易に行うことができ、かつ頻繁な着脱操作に対する耐久性にも優れた、使い勝手の良いインナーポケットを備えたバッグ、及び前記インナーポケットを提供することを目的としている。
【０００８】
上記目的を達成するために本考案に係るバッグ（１）は、バッグ本体と、該バッグ本体の内側に着脱自在な１以上のインナーポケットとを備えたバッグであって、前記インナーポケットと前記バッグ本体とが、一対のファスナー片を備えたスライドファスナーで着脱自在に構成され、前記インナーポケットが、ベース基材と、該ベース基材に取り付けられた、前記スライドファスナーの一方のファスナー片と、該一方のファスナー片の一端部近傍に取付けられた摘み部と、前記ベース基材に設けられた１以上のポケット部とを備え、前記バッグ本体の内側に、前記スライドファスナーの他方のファスナー片が少なくとも１箇所以上取り付けられていることを特徴としている。
【０００９】
上記バッグ（１）によれば、前記スライドファスナーによって前記インナーポケットを前記バッグ本体の内側に容易に着脱することができる。また、前記インナーポケットに取り付けられた前記摘み部を指先で摘むことにより、前記インナーポケットの前記一方のファスナー片の一端部と、前記バッグ本体の前記他方のファスナー片の一端部との位置合わせを容易に行うことができ、前記スライドファスナーの閉操作などをスムーズに行うことができる。また、前記摘み部を指先で摘むことにより、前記一方のファスナー片を直接摘む必要がないため、頻繁な着脱操作に対する前記スライドファスナーの耐久性も高めることができる。
【００１０】
また本考案に係るバッグ（２）は、上記バッグ（１）において、前記ポケット部に収納する対象の携行品が複数種類のサイズを有し、これら複数種類のサイズを有する携行品の中から自己所有の携行品にピッタリの大きさの前記ポケット部を有する前記インナーポケットが選択できるように品揃えされていることを特徴としている。
【００１１】
上記バッグ（２）によれば、複数種類のサイズを有する携行品、例えば、複数種類のサイズ（大きさ）のバリエーションを有する携帯電話、スマートフォン、タブレット端末、又はノートパソコンなどの中から自己所有の携行品にピッタリの大きさの前記ポケット部を有する前記インナーポケットが選択できるように品揃えされているので、該品揃えされている中から、ユーザ毎に異なる、自己所有の携行品のサイズに適した前記ポケット部を有する前記インナーポケットを選択することができ、携行品の多様なサイズバリエーションにきめ細やかに対応した、収納性に優れたバッグとすることができる。
【００１２】
また本考案に係るバッグ（３）は、上記バッグ（１）において、前記ポケット部が、対象とする収納物のサイズに合わせた大きさに形成されていることを特徴としている。
【００１３】
上記バッグ（３）によれば、前記ポケット部が、対象とする収納物のサイズに合わせた大きさに形成されているので、前記ポケット部のそれぞれに、対象とする収納物を余分な隙間を生じないようにぴったりと収納することができ、整理・収納性を高めることができる。
【００１４】
また本考案に係るバッグ（４）は、上記バッグ（１）〜（３）のいずれかにおいて、前記ベース基材、及び／又は前記ポケット部にクッション部材が設けられていることを特徴としている。
【００１５】
上記バッグ（４）によれば、前記ベース基材、及び／又は前記ポケット部にクッション部材が設けられているので、前記ポケット部に収納する収納物を外部からの衝撃などから保護することができる。特に、対象とする収納物がノートパソコン、タブレット、又はスマートフォンなどの電子機器類であるポケット部に設けることが好ましい。
【００１６】
また本考案に係るバッグ（５）は、上記バッグ（１）〜（４）のいずれかにおいて、前記摘み部が、前記一方のファスナー片の一端部近傍に止め具で固定された、弾力性を有する折り返し片部材で構成されていることを特徴としている。
【００１７】
上記バッグ（５）によれば、前記摘み部を構成する前記折り返し片部材が弾力性を有するので、例えば、前記摘み部を親指と人差し指の指先で摘む場合、前記折り返し片部材から受ける弾発力により適度に力が入れやすく、しっかりと安定した状態で摘むことができ、前記一方のファスナー片の一端部の位置合わせなどが容易となり、前記スライドファスナーの閉操作などを一層スムーズに行うことができる。
【００１８】
また本考案に係るバッグ（６）は、上記バッグ（１）〜（５）のいずれかにおいて、前記インナーポケットが、前記一方のファスナー片の他端部近傍に取付けられた留め部を備え、該留め部が、前記バッグ本体の内側に取付けられた受部材に着脱自在なものであることを特徴としている。
【００１９】
上記バッグ（６）によれば、前記インナーポケットと前記バッグ本体とを前記スライドファスナーで連結したときに、前記インナーポケットの前記留め部を、前記バッグ本体の前記受部材に取付けることにより、前記スライドファスナーが意図せずに開くことを防止することができる。
【００２０】
また本考案に係るバッグ（７）は、上記バッグ（１）〜（６）のいずれかにおいて、前記スライドファスナーが、ロック式のスライダーを含んで構成されていることを特徴としている。
【００２１】
上記バッグ（７）によれば、前記スライドファスナーが、ロック式のスライダーを含んで構成されているので、前記スライドファスナーが意図せず（不意）に開くことを防止することができる。前記ロック式のスライダーには、例えば、前記スライダーに設けられた引手から手を離すと自動的にロックがかかり、前記引手を引っ張ることによりロックが外れるオートマチックスライダーや、前記引手を倒した状態でロックがかかり、前記引手を起こした状態でロックが外れるセミオートマチックスライダーなどを用いることができる。
【００２２】
また本考案に係るバッグ（８）は、上記バッグ（１）〜（７）のいずれかにおいて、前記バッグ本体と、前記インナーポケットとが、同じ生地素材で作製されていることを特徴としている。
【００２３】
上記バッグ（８）によれば、前記バッグ本体と、前記インナーポケットとが、同じ生地素材で作製されているので、前記バッグ本体と前記インナーポケットとを一体的な構造に見せることができ、デザインの一体性を高めることができる。
【００２４】
また本考案に係るインナーポケット（１）は、バッグ本体の内側に、一対のファスナー片を備えたスライドファスナーにより着脱自在に構成されるインナーポケットであって、ベース基材と、該ベース基材に取り付けられた、前記スライドファスナーの一方のファスナー片と、該一方のファスナー片の一端部近傍に取付けられた摘み部と、前記ベース基材に設けられた１以上のポケット部とを備えていることを特徴としている。
【００２５】
上記インナーポケット（１）によれば、前記スライドファスナーによって前記インナーポケットを前記バッグ本体の内側に容易に着脱することができる。また、前記一方のファスナー片の一端部近傍に取付けられた前記摘み部を指先で摘むことにより、前記インナーポケットの前記一方のファスナー片の一端部と、前記バッグ本体の他方のファスナー片の一端部との位置合わせなどを容易に行うことができ、前記スライドファスナーの閉操作などをスムーズに行うことができる。また、前記摘み部を指先で摘むことにより、前記一方のファスナー片を直接摘む必要がないため、頻繁な着脱操作に対する前記スライドファスナーの耐久性も高めることができる。
【００２６】
また本考案に係るインナーポケット（２）は、上記インナーポケット（１）において、前記摘み部が、前記一方のファスナー片の一端部近傍に止め具で固定された、弾力性を有する折り返し片部材で構成されていることを特徴としている。
【００２７】
上記インナーポケット（２）によれば、前記摘み部を構成する前記折り返し片部材が弾力性を有するので、例えば、前記摘み部を親指と人差し指の指先で摘む場合、前記折り返し片部材から受ける弾発力により適度に力が入れやすく、しっかりと安定した状態で摘むことができ、前記一方のファスナー片の一端部の位置合わせなどが容易となり、前記スライドファスナーの閉操作などを一層スムーズに行うことができる。
【００２８】
また本考案に係るインナーポケット（３）は、上記インナーポケット（１）又は（２）において、前記一方のファスナー片の他端部近傍に取付けられた留め部を備え、該留め部が、前記バッグ本体の内側に取付けられた受部材に着脱自在なものであることを特徴としている。
【００２９】
上記インナーポケット（３）によれば、前記インナーポケットと前記バッグ本体とを前記スライドファスナーで連結したときに、前記インナーポケットの前記留め部を、前記バッグ本体の前記受部材に取付けることにより、前記スライドファスナーが意図せずに開くことを防止することができる。
【図面の簡単な説明】
【００３０】
【図１】本考案の実施の形態に係るバッグを示す外観斜視図である。
【図２】（ａ）は、図１におけるII−II線断面図であり、（ｂ）は、（ａ）におけるｂ−ｂ線断面図である。
【図３】（ａ）は、図１におけるIII−III線断面図であり、（ｂ）は、（ａ）におけるｂ−ｂ線断面図である。
【図４】別の実施の形態に係るインナーポケットを示す正面図である。
【図５】さらに別の実施の形態に係るインナーポケットを示す正面図である。
【考案を実施するための形態】
【００３１】
以下、本考案に係るバッグ、及びインナーポケットの実施の形態を図面に基づいて説明する。なお、以下に述べる実施の形態は、本考案の好適な具体例であるから、技術的に好ましい種々の限定が付されているが、本考案の範囲は、以下の説明において特に本考案を限定する旨の記載がない限り、これらの形態に限られるものではない。
【００３２】
図１は、実施の形態に係るバッグ１を示す外観斜視図である。図２（ａ）は、図１におけるII−II線断面図であり、インナーポケット３０の取付け状態を示す図であり、図２（ｂ）は、（ａ）におけるｂ−ｂ線断面図であり、インナーポケット３０の断面を示す図である。
図３（ａ）は、図１におけるIII−III線断面図であり、インナーポケット４０の取付け状態を示す図であり、図３（ｂ）は、（ａ）におけるｂ−ｂ線断面図であり、インナーポケット４０の断面を示す図である。
【００３３】
実施の形態に係るバッグ１は、リュック型バッグであり、有底略筒形状をしたバッグ本体１０と、バッグ本体１０の内側に着脱自在な２つのインナーポケット３０、４０とを備えている。バッグ本体１０とインナーポケット３０、４０を構成する生地素材には、例えば、キャンバス生地を用いることができるが、これに限定されるものではなく、各種の布・生地、皮、合皮、ナイロン素材など、一般的なバッグに採用され得る生地素材を用いることができ、また、撥水加工などの表面加工処理などが行われた生地素材を用いることができる。また、本実施の形態では、バッグ１がリュック型バッグである場合について説明するが、バッグの形態はこれに限定されるものではなく、本考案は、ハンドバッグ、ショルダーバッグ、トートバッグ、ボストンバッグ、又はクラッチバッグなどの各種形態のバッグに適用できる。
【００３４】
バッグ本体１０は、上面の開口部１１を開閉するための蓋部１２と、正面側に取り付けられた正面外ポケット１３と、側面側に取り付けられた側面外ポケット１４と、背面側に取り付けられた一対の肩ベルト１５と、背面側の上部に取り付けられた持ち手（図示せず）とを含んで構成されている。開口部１１の縁部と蓋部１２の縁部には、開閉用のスライドファスナー１６が取り付けられている。なお、バッグ本体１０の大きさや形状、外ポケット１３、１４の位置や数、開口部１１の位置や数などの形態は、この形態に限定されるものではない。
【００３５】
インナーポケット３０とバッグ本体１０とは、一対のファスナー片２１、２２を備えたスライドファスナー２０で着脱自在に構成されている。
図２に示すようにインナーポケット３０は、略矩形形状をしたベース基材３１と、ベース基材３１の上辺に取り付けられた、スライドファスナー２０の一方のファスナー片２１と、一方のファスナー片２１の一端部近傍に取付けられた摘み部３２と、ベース基材３１に設けられたポケット部３３とを備えている。
また、インナーポケット３０は、一方のファスナー片２１の他端部近傍に取付けられた留め部３５を備え、留め部３５が、バッグ本体の内側に取付けられた受部材１７に着脱自在となっている。
一方のファスナー片２１は、ポリエステル又は合繊等からなるテープ部材２１ａと、一方のエレメント（務歯）２１ｂと、エレメント２１ｂの一端側に設けられた蝶棒２１ｃとを含んで構成されている。
【００３６】
スライドファスナー２０の他方のファスナー片２２は、バッグ本体１０の背面側の上部内側（開口部１１近傍位置）に、縫着等により取り付けられている。
他方のファスナー片２２は、テープ部材２２ａと、他方のエレメント２２ｂと、エレメント２２ｂに摺動可能に取付けられたスライダー２２ｃと、エレメント２２ｂの一端側に設けられた箱部２２ｄとを含んで構成されている。スライダー２２ｃには引手２２ｅが取り付けられている。
【００３７】
スライダー２２ｃの種類は特に限定されないが、引手２２ｅに触れない状態でスライドファスナー２０が不意に開くことを防止するために、ロック式のスライダー、例えば、引手２２ｅから手を離すと自動的にロックがかかり、引手２２ｅを引っ張ることによりロックが外れるオートマチックスライダーや、引手２２ｅを倒した状態でロックがかかり、引手２２ｅを起こした状態でロックが外れるセミオートマチックスライダーを用いることが好ましい。スライダー２２ｃの素材は、強度や耐久性を持たせる観点から金属製が好ましいが、樹脂製のものを用いることもできる。
【００３８】
スライドファスナー２０には、強度や耐久性を持たせる観点から、エレメント２１ｂ、２２ｂが金属で構成される金属ファスナーを用いることが好ましいが、エレメント２１ｂ、２２ｂがコイル状の樹脂からなる樹脂ファスナー、樹脂製のエレメントがテープに射出成形されたビスロンファスナーなども用いることができる。
【００３９】
ベース基材３１は、２枚のキャンバス生地３１ａ、３１ｂの間に薄板状のクッション部材３１ｃが挟まれた構造を有している。
ポケット部３３は、ベース基材３１と略同程度の大きさ（横幅が略同じで、縦幅が少し小さめ）に形成され、２枚のキャンバス生地３３ａ、３３ｂの間に薄板状のクッション部材３３ｃが挟まれた構造を有している。ポケット部３３の左辺、右辺及び下辺の縁と、ベース基材３１の左辺、右辺及び下辺の縁とが縁材３４で縫着されている。
ポケット部３３の大きさは、例えば、ノートパソコン、タブレットなどの比較大型（１０インチ〜１３インチ前後）で薄型の電子機器などのサイズ毎に、収納するのに適したサイズ（縦幅、横幅、マチ幅）に形成されている。
【００４０】
摘み部３２は、一方のファスナー片２１の一端部（蝶棒２１ｃが設けられている側）近傍に、リベットなどの止め具３２ａで固定された、弾力性を有する折り返し片部材（幅２ｃｍ前後）で構成され、ベース基材３１の側部から少し（１〜３ｃｍ前後）はみ出た状態で取り付けられている。折り返し片部材には、例えば、やや肉厚（２〜３ｍｍ前後）で硬めの皮部材などを採用することが好ましい。折り返し片部材の折り返し部分には、空洞が形成され、指先で摘んだときに弾発力が作用するようになっている。
【００４１】
留め部３５は、一方のファスナー片２１の他端部（スライドファスナー２０を閉じたときにスライダー２２ｃが位置する側）近傍に、リベットなどの止め具３５ｂで固定された折り返し片部材などで構成され、ベース基材３１の側部から少し（１〜３ｃｍ前後）はみ出た状態で取り付けられている。折り返し片部材の素材は、特に限定されないが、デザイン性を高めるために、摘み部３２と同じ素材（部材）を用いることが好ましい。
留め部３５には、バッグ本体１０の内側と対向する面に留め具３５ａが設けられている。留め具３５ａが、バッグ本体１０の内側（対面）に取付けられた受部材１７に着脱自在に構成されている。留め具３５ａ及び受部材１７には、一対の接続部材、例えば、スナップボタン、ホック、面ファスナーなどの着脱自在な部材を用いることができる。
【００４２】
また、もう一方のインナーポケット４０とバッグ本体１０とは、上記したインナーポケット３０と同様に、一対のファスナー片２１Ａ、２２Ａを備えたスライドファスナー２０Ａで着脱自在に構成されている。
インナーポケット４０は、略矩形形状をしたベース基材４１と、ベース基材４１の上辺に取り付けられた、スライドファスナー２０Ａの一方のファスナー片２１Ａと、一方のファスナー片２１Ａの一端部近傍に取付けられた摘み部４２と、ベース基材４１に設けられたポケット部４３とを備えている。
スライドファスナー２０Ａの他方のファスナー片２２Ａは、バッグ本体１０の正面側の上部内側（開口部１１近傍位置）に、縫着等の手段により取り付けられている。
スライドファスナー２０Ａには、上記したスライドファスナー２０と同様の構成のものが使用されている。したがって、インナーポケット３０とインナーポケット４０とを付け替えることが可能になっている。
【００４３】
ベース基材４１は、１枚のキャンバス生地で構成されている。
ポケット部４３は、ベース基材４１と略同程度の大きさ（横幅が略同じで、縦幅が少し小さめ）で、ベース基材４１に重ねて取付けられた第１ポケット４３ａと、第１ポケット４３ａの上に重ねて取付けられたスライドファスナー４５付きの第２ポケット４３ｂと、第２ポケット４３ｂの下方に、第１ポケット４３ａの上に重ねて並列に取り付けられた第３ポケット４３ｃ及び第４ポケット４３ｄとを含んで構成されている。
【００４４】
第１ポケット４３ａは、Ｂ５〜Ａ４サイズの雑誌、ノート、薄型ファイルなどを収納するのに適したサイズに形成されている。第２ポケット４３ｂは、長財布などを収納するのに適したサイズ（縦幅、横幅、マチ幅）に形成されている。第３ポケット４３ｃと第４ポケット４３ｄは、スマートフォンや小型のタブレット（５インチ〜８インチ程度）などのサイズ毎に適したサイズ（縦幅、横幅、マチ幅）に形成されている。
【００４５】
第１ポケット４３ａ、第２ポケット４３ｂ、第３ポケット４３ｃ及び第４ポケット４３ｄの左辺と右辺の縁と、ベース基材４１の左辺と右辺の縁とが縁材４４を用いて縫着されている。また、第２ポケット４３ｂの下辺は、第１ポケット４３ａに縫着され、第３ポケット４３ｃ、及び第４ポケット４３ｄの下辺は、第１ポケット４３ａ及びベース基材４１の下辺に縫着されている。
【００４６】
なお、この場合、第３ポケット４３ｃと第４ポケット４３ｄの境界部は、縫着により第１ポケット４３ａに固定されているが、別の実施の形態では、左右に移動可能で、任意の位置に固定可能な移動式境界部材を取り付けることにより、第３ポケット４３ｃと第４ポケット４３ｄの大きさ（横幅）を調整可能な構成とすることもできる。
前記移動式境界部材としては、例えば、第３ポケット４３ｃ（又は第４ポケット４３ｄ）と、第１ポケット４３ａとの形成生地を縦方向に挟む棒状クリップ部材を設けるようにすればよい。又は、第３ポケット４３ｃや第４ポケット４３ｄの内側に、所定の横幅間隔を設けてホックなどの着脱自在な留め具を設けて、用途に応じて、前記止め具の止め位置を変えることで、第３ポケット４３ｃと第４ポケット４３ｄのサイズを調整するように構成することもできる。
【００４７】
摘み部４２は、上記した摘み部３２と同様に、止め具４２ａで固定された、弾力性を有する折り返し片部材で構成されている。
【００４８】
上記実施の形態に係るバッグ１によれば、スライドファスナー２０、２０Ａによってインナーポケット３０、４０をそれぞれバッグ本体１０の内側に容易に着脱することができる。また、インナーポケット３０、４０にそれぞれ取り付けられた摘み部３２、４２を指先で摘むことにより、インナーポケット３０、４０の一方のファスナー片２１、２１Ａの一端部（蝶棒２１ｃ側）と、バッグ本体１０の他方のファスナー片２２、２２Ａの一端部との位置合わせ、すなわち、蝶棒２１ｃを箱部２２ｄへ挿入する操作や、蝶棒２１ｃを箱部２２ｄから引き抜く操作などを容易に行うことができ、スライドファスナー２０、２０Ａの閉操作や開操作などをスムーズに行うことができる。
また、摘み部３２、４２を指先で摘むことにより、一方のファスナー片２１、２１Ａを直接摘む必要がないため、頻繁な着脱操作に対するスライドファスナー２０、２０Ａの耐久性も高めることができる。
【００４９】
また、インナーポケット３０、４０の摘み部３２、４２が弾力性を有する折り返し片部材で構成されているので、例えば、親指と人差し指の指先でしっかりと摘むことができ、前記折り返し片部材から受ける弾発力により適度に力を入れやすく、前記スライドファスナーの閉操作や開操作などを一層スムーズに行うことができる。
【００５０】
また、インナーポケット３０における一方のファスナー片２１の他端部近傍に留め部３５を備え、留め部３５の留め具３５ａが、バッグ本体１０の内側に取付けられた受部材１７に着脱自在に構成されているので、インナーポケット３０とバッグ本体１０とをスライドファスナー２０で連結したときに、インナーポケット３０の留め部３５を、バッグ本体１０の受部材１７に取付けることにより、スライドファスナー２０が意図せずに開く（すなわちスライダー２２ｃが開方向に移動する）ことを防止することができる。なお、インナーポケット４０にも留め部３５を取り付け、同様にバッグ本体１０の受部材１７に着脱自在に構成することもできる。
【００５１】
また、バッグ１によれば、他方のファスナー片２２、２２Ａが、バッグ本体１０の開口部１１近傍に取り付けられているので、スライドファスナー２０、２０Ａによるインナーポケット３０、４０とバッグ本体１０との着脱を一層容易に行うことができる。
【００５２】
また、バッグ１によれば、インナーポケット３０、４０のポケット部３３、４３が、それぞれ対象とする収納物のサイズに合わせた大きさに形成されているので、これらポケット部３３、４３に、対象とする収納物を余分な隙間を生じないようにぴったりと収納することができ、収納物の整理・収納性を高めることができ、バッグ本体１０の収納スペースを有効に活用することができる。
【００５３】
また、上記実施の形態では、２種類のインナーポケット３０、４０の形態について説明したが、インナーポケットは、この２つのバリエーションだけでなく、複数種類のサイズを有する携行品の中から自己所有の携行品にピッタリの大きさのポケット部を有するインナーポケットが選択できるように、多種類のインナーポケットが予め品揃えされていてもよい。
【００５４】
対象とする収納物には、各種の携行品が含まれる。例えば、各種大きさの異なる財布、携帯電話、スマートフォン、タブレット、ノート型パソコン、水筒（飲料容器）、雑誌、本、手帳、ペンケース、眼鏡ケース、パスケース、化粧ポーチなどが含まれ、これら各収納物のサイズに合わせて、ポケット部の位置、大きさ、個数などを設計すればよく、インナーポケットには、複数種類のバリエーションを持たせることができ、使用するバッグや、携行する物に合わせて、適切なインナーポケットをバッグに取り付けることができ、利用者の多様なニーズに対応することができる。
【００５５】
インナーポケットが多種類品揃えされていれば、複数種類のサイズを有する携行品、例えば、複数種類のサイズ（大きさ）のバリエーションを有する携帯電話、スマートフォン、タブレット端末、又はノートパソコンなどにおいて、自己所有の携行品のサイズにピッタリの大きさのポケット部を有するインナーポケットが選択できる。すなわち、品揃えされている中から、ユーザ毎に異なる、自己所有の携行品のサイズに適したポケット部を有するインナーポケットを選択することができ、携行品の多様なサイズバリエーションにきめ細やかに対応した、収納性に優れたバッグ１とすることができる。
【００５６】
また、バッグ１によれば、インナーポケット３０のベース基材３１とポケット部３３とにそれぞれクッション部材３１ｃ、３３ｃが設けられているので、ポケット部３３に収納する収納物を外部からの衝撃などから適切に保護することができる。なお、クッション部材は、ベース基材３１又はポケット部３３の一方にのみ設けてもよい。
【００５７】
また、バッグ１によれば、バッグ本体１０と、インナーポケット３０、４０とが、同じ生地素材で作製されているので、バッグ本体１０とインナーポケット３０、４０とを一体的な構造に見せることができ、デザイン的な一体性を高めることができる。
【００５８】
また、本考案に係るインナーポケットの形態は、上記したインナーポケット３０、４０の形態に限定されるものではなく、バッグの種類や大きさ（横幅、縦幅、マチ幅）などを考慮して、スライドファスナーのサイズ（長さ）や取り付け数、ベース基材の大きさや形、ポケット部の数、大きさ（横幅、縦幅、マチ幅）及び形状を適宜設計することができる。
【００５９】
図４、図５は、別の実施の形態に係るインナーポケットを示す正面図である。
図４に示したインナーポケット５０が、上記したインナーポケット３０、４０と大きく相違する点は、その大きさ（縦幅）であり、インナーポケット３０、４０の約半分程度の縦幅に形成されている点にあり、他の構成は、基本的に略同様である。
【００６０】
インナーポケット５０は、ベース基材５１と、ベース基材５１の上辺に取り付けられた、一方のファスナー片２１Ｂと、一方のファスナー片２１Ｂの一端部近傍に取付けられた摘み部５２と、ベース基材５１に設けられたポケット部５３とを備えている。一方のファスナー片２１Ｂが、バッグ本体１０の内側に取り付けられた他方のファスナー片２２Ｂに取り付けられる。一対のファスナー片２１Ｂ、２２Ｂによりスライドファスナー２０Ｂが構成されている。
【００６１】
ポケット部５３は、ベース基材５１と略同程度の大きさ（横幅が略同じで、縦幅が少し小さめ）で、ベース基材５１に重ねて取付けられた第１ポケット５３ａと、第１ポケット５３ａの上に重ねて取付けられたスライドファスナー５５付きの第２ポケット５３ｂと、第２ポケット５３ｂの上に重ねて取付けられた、カード類を収納可能な第３ポケット５３ｃと、第２ポケット５３ｂの上に重ねて取付けられた、筆記具を収納可能な第４ポケット５３ｄとを含んで構成されている。第１ポケット５３ａ、第２ポケット５３ｂの左辺と右辺の縁とが縁材５４を用いて縫着されている。また、第２ポケット５３ｂの下辺は、第１ポケット５３ａに縫着され、第３ポケット５３ｃ、及び第４ポケット４３ｄは、第２ポケット５３ｂに縫着されている。
【００６２】
次に図５に示すインナーポケット６０が、上記したインナーポケット３０、４０と大きく相違する点は、ベース基材が縦方向に複数連結（着脱）自在に構成されている点にあり、他の構成は、基本的に略同様である。
【００６３】
インナーポケット６０は、ベース基材６１Ａとベース基材６１Ｂとが、一対のファスナー片２１Ｄ、２１Ｅを備えたスライドファスナー２０Ｄにより着脱自在に構成されている。
上部のベース基材６１Ａには、上辺に取り付けられた一方のファスナー片２１Ｃと、一方のファスナー片２１Ｃの一端部近傍に取付けられた摘み部６２Ａと、ベース基材６１Ａに設けられたポケット部６３Ａと、その下辺に取り付けられたファスナー片２１Ｄとを備えている。ファスナー片２１Ｄに、スライダー２１ｄ、箱部２１ｅが取り付けられている。ファスナー片２１Ｃが、バッグ本体１０の内側に取り付けられた他方のファスナー片２２Ｃに取り付け可能になっている。一対のファスナー片２１Ｃ、２２Ｃによりスライドファスナー２０Ｃが構成されている。
【００６４】
ポケット部６３Ａは、ベース基材６１Ａに重ねて取付けられた第１ポケット６３ａと、第１ポケット６３ａの上に重ねて取付けられたスライドファスナー６５付きの第２ポケット６３ｂと、第２ポケット６３ｂの上に重ねて取付けられた、カード類を収納可能な第３ポケット６３ｃとを含んで構成されている。
【００６５】
下部のベース基材６１Ｂには、上辺に取り付けられたファスナー片２１Ｅと、ファスナー片２１Ｅの一端部近傍に取付けられた摘み部６２Ｂと、ベース基材６１Ｂに設けられたポケット部６３Ｂとを備えている。ポケット部６３Ａ、６３Ｂの形態（数、大きさ、又は形状など）は、対象とする収納物に応じて適宜変更することができる。
また、ベース基材６１Ａとベース基材６１Ｂとを分離して、ベース基材６１Ｂのファスナー片２１Ｅを、バッグ本体１０の内側に取り付けられた他方のファスナー片２２Ｃに取り付けることも可能になっている。
【００６６】
なお、図５に示すインナーポケット６０では、ベース基材６１Ａとベース基材６１Ｂとが縦方向に連結されている場合について説明したが、更に別の実施の形態に係るインナーポケットでは、例えば、インナーポケット３０、４０のベース基材３１、４１の左辺及び／又は右辺に、それぞれ別体のインナーポケットを一対のファスナー片を有するスライドファスナーにより着脱自在な構成としてもよい。
【符号の説明】
【００６７】
１  バッグ
１０  バッグ本体
２０、２０Ａ、２０Ｂ、２０Ｃ  スライドファスナー
２１、２１Ａ、２１Ｂ、２１Ｃ  一方のファスナー片
２２、２２Ａ、２２Ｂ、２２Ｃ  他方のファスナー片
３０、４０、５０、６０  インナーポケット
３１、４１、５１、６１Ａ、６１Ｂ  ベース基材
３２、４２、５２、６２Ａ、６２Ｂ  摘み部
３３、４３、５３、６３Ａ、６３Ｂ  ポケット部
３５  留め部
【図１】
0003208799.tif 000003
【図２】
0003208799.tif 000004
【図３】
0003208799.tif 000005
【図４】
0003208799.tif 000006
【図５】
0003208799.tif 000007